(57)【要約】      （修正有）【課題】収納した活魚を傷つけず、鱧や鰻などに適した活魚輸送容器を提供する。【解決手段】両端開口の円筒形状の塩化ビニルパイプからなる活魚収納部２と、活魚収納部の一端開口に固定する円盤状の蓋部３と、活魚収納部の他端開口に着脱自在に備えた円盤状の開閉蓋４と、を備えた活魚輸送容器１であって、活魚収納部の側面に複数のスリット５が形成され、蓋部と開閉蓋に複数の穿孔６が形成され、蓋部は活魚収納部の一端開口に接着剤により固定され、開閉蓋は活魚収納部の他端開口に紐体により着脱自在に備えられている。【選択図】図１
0003224511.tif 000002
【実用新案登録請求の範囲】
【請求項１】
両端開口の円筒形状の塩化ビニルパイプからなる活魚収納部と、
活魚収納部の一端開口に固定する円盤状の蓋部と、
活魚収納部の他端開口に着脱自在に備えた円盤状の開閉蓋と、
を備えた活魚輸送容器であって、
活魚収納部の側面に複数のスリットが形成され、蓋部と開閉蓋に複数の穿孔が形成され、
蓋部は活魚収納部の一端開口に接着剤により固定され、
開閉蓋は活魚収納部の他端開口に紐体により着脱自在に備えられている
ことを特徴とする活魚輸送容器。
【考案の詳細な説明】
【技術分野】
【０００１】  本考案は、活魚、特に鱧の活魚を輸送するための容器に関するものである。
【背景技術】
【０００２】  従来のものは、図６に示すように、活きた魚類を泳ぐ状態のままで輸送するための活魚輸送用保護枠であって、輸送中における活魚の弱りを防ぐものである。具体的には、合成樹脂フィルムをラミネートした厚紙の耐水性板材を折り曲げて角形筒体を構成してなっている。この筒体の両端はともに開口し、筒体における折り山の一部を内側に折り返すことにより、筒内の活魚に対する狭窄部を形成している。そして、この狭窄部により筒内における活魚の前後進を阻止していた。
【先行技術文献】
【特許文献】
【０００３】
【特許文献１】実全平０４−１０６９７０
【考案の概要】
【考案が解決しようとする課題】
【０００４】  しかしながら、従来のものは、筒内に折り返す狭窄部が形成されているため、筒内に収納する活魚を傷つけてしまうという問題があった。また、従来のものは、角形筒体の折込式に形成されているため、活魚を収納する方法として、活魚を挟み込むように角形筒体を折り込む必要がある。特にこの収納方法では、鱧や鰻などには全く適さないという問題があった。【０００５】  そこで、本考案は、上記問題点に鑑み、収納した活魚を傷つけず、鱧や鰻などに適した活魚輸送容器を提供することを目的とする。
【課題を解決するための手段】
【０００６】  本考案の活魚輸送容器は、両端開口の円筒形状の塩化ビニルパイプからなる活魚収納部と、活魚収納部の一端開口に固定する円盤状の蓋部と、活魚収納部の他端開口に着脱自在に備えた円盤状の開閉蓋と、を備えた活魚輸送容器であって、活魚収納部の側面に複数のスリットが形成され、蓋部と開閉蓋に複数の穿孔が形成され、蓋部は活魚収納部の一端開口に接着剤により固定され、開閉蓋は活魚収納部の他端開口に紐体により着脱自在に備えられていることを特徴とする。
【考案の効果】
【０００７】  本考案によれば、収納した活魚を傷つけず、鱧や鰻などに適した活魚輸送容器を提供することができる。
【図面の簡単な説明】
【０００８】
【図１】本考案の活魚輸送容器の実施形態を示す全体図である。
【図２】本考案の活魚輸送容器の蓋部を示す図である。
【図３】本考案の活魚輸送容器の開閉蓋を示す図である。
【図４】本考案の活魚輸送容器の実施形態を示し、（ａ）はレギュラーサイズ、（ｂ）はロングサイズ、（ｃ）はビックロングサイズを示す図である。
【図５】本考案の活魚輸送容器を使用するための活魚収納装置を示し、（ａ）は全体図、（ｂ）はレギュラーサイズ、ロングサイズのアタッチメント、（ｃ）はビックロングサイズのアタッチメントを示す図である。
【図６】従来の活魚輸送容器を示す図である。
【考案を実施するための形態】
【０００９】  本考案の活魚輸送容器の実施形態を図面に基づいて説明する。
図１に示すように、本考案の活魚輸送容器１は、両端開口の円筒形状の塩化ビニルパイプからなる活魚収納部２と、活魚収納部２の一端開口に固定する円盤状の蓋部３と、活魚収納部２の他端開口に着脱自在に備えた円盤状の開閉蓋４と、を備えた活魚輸送容器１であって、活魚収納部２の側面に複数のスリット５が形成され、蓋部３と開閉蓋４に複数の穿孔６が形成され、蓋部３は活魚収納部２の一端開口に接着剤により固定され、開閉蓋４は活魚収納部２の他端開口に紐体７により着脱自在に備えられている。
【００１０】  活魚収納部２は、図１に示すように、直径１５０ｍｍ、長さ８５０ｍｍの円筒形状の塩化ビニルパイプからなり、その側面に複数のスリット５が形成されている。
【００１１】  スリット５は、幅２ｍｍ、長さ６０ｍｍに形成された貫通溝８が２つ一組で形成されている。そして、２つ一組の隣り合う各貫通溝８は２０ｍｍ間隔に配されている。さらに、スリット５は、活魚収納部２の長さ方向に３０ｍｍごとに一直線上に複数配されて、スリット５の列を形成している。さらに、そのスリット５の列は、活魚収納部２の円周方向に４か所設けられている。
【００１２】  蓋部３は、図２に示すように、複数の穿孔６を有する円板９と側壁１０とを備え、塩化ビニルパイプから構成されている。そして、蓋部３は、活魚収納部２の一端開口に接着剤により固定されている。
【００１３】  開閉蓋４は、図３に示すように、複数の穿孔６を有する円板１１と紐体７を接続した側壁１２とを備え、塩化ビニルパイプから構成されている。紐体７は結束バンドを用いると良く、紐体７は開閉蓋４の側壁１２と活魚収納部２の他端開口に結び付けられている。そして、蓋部３は、活魚収納部２の他端開口に着脱自在に備えられている。
【００１４】  本考案の活魚輸送容器１は、図４に示すように、レギュラーサイズ（図４（ａ））、ロングサイズ（図４（ｂ））、ビックロングサイズ（図４（ｃ））に構成することができる。そして、レギュラーサイズは黒色、ロングサイズは茶色、ビックロングサイズは灰色の色彩が施されている。これにより、活魚輸送容器１のサイズについて、色分けすることで容易に見分けることができる。
【００１５】  次に、図５に示す活魚輸送容器１を使用するための活魚収納装置１３について説明する。図５（ａ）は活魚収納装置１３の全体図を示し、図５（ｂ）は活魚輸送容器１のレギュラーサイズ、ロングサイズのアタッチメント１４を示し、図５（ｃ）はビックロングサイズのアタッチメント１５を示す。活魚収納装置１３は筐体１３ａの上面に、上下開口の逆円錐体１３ｂが設けられている。逆円錐体１３ｂの下側開口には、活魚輸送容器１を接続するためのアタッチメント１４が取り付けられている。そして、アタッチメント１４には、活魚輸送容器１の開閉蓋４を開けた状態で、活魚収納部２の他端開口に接続される。これにより、逆円錐体１３ｂの上側開口と活魚収納部２が連通する。そして、逆円錐体１３ｂの上側開口から鱧や鰻などを投入すると、活魚収納部２に収納される。これにより、スムースに鱧や鰻などを活魚輸送容器１に収納することができ、収納した活魚を傷つけず、鱧や鰻などに適した活魚輸送容器１を提供することができる。
【符号の説明】
【００１６】    １    活魚輸送容器
２    活魚収納部
３    蓋部
４    開閉蓋
５    スリット
６    穿孔
７    紐体
８    貫通溝
９    円板
１０  側壁
１１  円板
１２  側壁
１３  活魚収納装置
１３ａ筐体
１３ｂ逆円錐体
１４  アタッチメント
１５  アタッチメント
【図１】
0003224511.tif 000003
【図２】
0003224511.tif 000004
【図３】
0003224511.tif 000005
【図４】
0003224511.tif 000006
【図５】
0003224511.tif 000007
【図６】
0003224511.tif 000008